(57)【特許請求の範囲】
【請求項１】
一対の外フラップと一対の内フラップとにより底部を閉塞する包装箱に用いられ、包装箱の内部を２つに仕切る仕切板と、仕切板の一方の側端縁に折目線を介して連設する第１端板と、仕切板の他方の側端縁に折目線を介して連設する第２端板とからなる包装箱用仕切体において、
仕切板と第１端板とに跨る下端縁には、底板が折目線を介して連設され、仕切板と底板との間には、切込線が設けられ、仕切板の下端には第１突片が設けられ、底板には差込孔が設けられ、第１端板と第２端板とはそれぞれ相反する方向へ折目線を介して仕切板に対し垂直に折り曲げられ、底板は折目線を介して内方へ水平に折り曲げられ、第１突片は差込孔に差込まれて、底板は両内フラップの間に配置され、両内フラップの間に生じる段差を埋めることを特徴とする包装箱用仕切体。
【請求項２】
前記第２端板の下端には第２突片が設けられ、前記底板の先端部には切欠部が設けられ、前記包装箱用仕切体を組み立てる際に、第２突片は切欠部と係合することを特徴とする請求項１記載の包装箱用仕切体。
【発明の詳細な説明】
【０００１】
【発明の属する技術分野】
本発明は、包装箱の内部を２つに仕切る仕切体に関する。
【０００２】
【従来の技術】
従来、起立する４枚の側壁板により形成された角筒状の胴部と、各側壁板の下端縁に折目線を介して連設された各２枚の内・外フラップとを備え、各内・外フラップにより底部を閉塞する段ボール製の包装箱において、両内フラップの間に生じた段差を埋めるいわゆる埋板と、収容物同士の衝突を回避する仕切体とが挿入されたものが知られている。
【０００３】
この種の包装箱は、内フラップを水平に折り曲げた後、外フラップを水平に折り曲げることによって胴部下端が閉塞される。そして輸送等においては閉塞状態を維持するように、閉塞状態の両外フラップを粘着テープやステープルによって固定し、または、内フラップと外フラップとを接着剤等で接着することにより封止することが行われている。
【０００４】
そして、両内フラップの間に生じた段差を埋める埋板を挿入する行程と仕切体を挿入する行程との２行程の挿入作業が行われていた。従って、作業工程が多く挿入作業に時間が掛かっていた。
【０００５】
また、従来、仕切体として、包装箱の内部を２つに仕切る仕切板と、仕切板の両端に折目線を介して連設された一対の端板とからなるものが知られている。仕切体は、一対の端板をそれぞれ相反する方向へ折目線を介して仕切板に対し垂直に折り曲げＺ字形状を形成して組み立てられる。そして、仕切体は両端板を包装箱の側壁板内面に重ね合わせるように包装箱の内部に挿入される。
【０００６】
しかしながら、該仕切体は、所定形状を包装箱の中で維持することが難しく、包装箱内に収容物を収容する際、仕切体の形を整えながら収容作業を行わなければならない。
【０００７】
【発明が解決しようとする課題】
かかる課題を解決すべく、本発明は埋板と仕切板とを一体として埋板及び仕切体を包装箱に挿入する作業行程を簡略化し、安定性が向上された仕切体を提供することを目的とする。
【０００８】
【課題を解決するための手段】
上記目的を達成するため、本発明の包装箱用仕切体は、一対の外フラップと一対の内フラップとにより底部を閉塞する包装箱に用いられ、包装箱の内部を２つに仕切る仕切板と、仕切板の一方の側端縁に折目線を介して連設する第１端板と、仕切板の他方の側端縁に折目線を介して連設する第２端板とからなる包装箱用仕切体において、仕切板と第１端板とに跨る下端縁には、底板が折目線を介して連設され、仕切板と底板との間には、切込線が設けられ、仕切板の下端には第１突片が設けられ、底板には差込孔が設けられ、第１端板と第２端板とはそれぞれ相反する方向へ折目線を介して仕切板に対し垂直に折り曲げられ、底板は折目線を介して内方へ水平に折り曲げられ、第１突片は差込孔に差込まれて、底板は両内フラップの間に配置され、両内フラップの間に生じる段差を埋めることを特徴とする。
【０００９】
前記第２端板の下端には第２突片が設けられ、前記底板の先端部には切欠部が設けられ、前記包装箱用仕切体を組み立てる際に、第２突片は切欠部と係合することが好ましい。
【００１０】
かかる発明によれば、内フラップによる段差を解消すべく、埋板として用いられる底板が、第１端板の下端縁に連設されているため、従来行われていた埋板を挿入する行程と、仕切体を組み立てて挿入する行程との２行程を、本発明においては仕切体を組み立てて挿入するという１行程で行うことができ、埋板及び仕切体を包装箱へ挿入する作業行程を簡略化することができる。
【００１１】
また、本発明においては、第１端板は下端に底板が連設されている。また、底板は両内フラップの間の段差に埋め込まれる。また、切込線が仕切板と底板の間に設けられることにより、包装箱用仕切体を組み立てた際に、仕切板が底板の中央部に位置することができ、第１突片は差込孔に挿入される。
【００１２】
上記構成により本発明に係る包装箱用仕切体は、所定形状を確実に維持することができる。よって、包装箱の内部に収容物を収容する際に、仕切体の形を整えながら収納作業を行うといった煩わしさがない。
【００１３】
さらに、第２突片と切欠部とを設け、第２突片が切欠部に係止されるように構成すると、さらに仕切体の安定性が向上される。
【００１４】
【発明の実施の形態】
本発明の実施の形態を図１から図４を参照して説明する。図１は本発明の一実施形態の包装箱用仕切体の説明的全体図、図２は本実施形態の包装箱用仕切体の展開図、図３は本実施形態の包装箱用仕切体に用いられる包装箱の説明的全体図、図４は本実施形態の包装箱用仕切体に用いられる包装箱の展開図である。
【００１５】
本実施形態の包装箱用仕切体１を挿入する包装箱２は、図３に示すように、例えば、洗剤等の詰替用薄肉ボトル等を収容する段ボール製の包装箱であり、この包装箱２は流通、搬送用として広く用いられている、いわゆるＡ式型のものである。
【００１６】
包装箱２は、角筒状の胴部３と、胴部３の下端を閉塞する底部４とによって直方体状に形成されている。
【００１７】
また、包装箱２は、図４において展開して示すように、一対の第１側壁板５と、一対の第２側壁板６とがそれぞれ胴部折目線ａを介して連設されている。各第１側壁板５及び各第２側壁板６は、それぞれ胴部折目線ａに沿って折り曲げられ、次いで、一方の第１側壁板５の端縁に連設された接着片７が反対側の第２側壁板６の端部に接着されて図３に示す胴部３を形成する。また、図４に示すように、各第１側壁板５には、その下端縁に底部折目線ｂを介してそれぞれ底蓋外フラップ４ａが連設されている。また、各第２側壁板６には、その下端縁に底部折目線ｃを介してそれぞれ底蓋内フラップ４ｂが連設されている。
【００１８】
底部４は、各底蓋内フラップ４ｂを底部折目線ｃに沿って水平に折り曲げ、次いで、底蓋外フラップ４ａを底部折目線ｂに沿って水平に折り曲げて形成される。両底蓋内フラップ４ｂの間には、図３に示すように、段差１２が生じる。
【００１９】
本発明の実施形態の包装箱用仕切体１は、図１に示すように、仕切板８と第１端板９と第２端板１０と底板１１とからなる。図１の下方には、包装箱２の底部４が表示されている。
【００２０】
仕切板８の両側端には、図２において展開して示すように、それぞれ第１端板９と第２端板１０とが折目線ｄ、ｅを介して連設されている。仕切板８と第１端板９とに跨る下端縁には、折目線ｆを介して底板１１が連設されている。仕切板８と底板１１との間には切込線１３が仕切板８の下端に沿って設けられている。なお、切込線１３は仕切板８の下端縁の延長上に延在するが、折目線ｆは切込線１３より底板１１の厚さ分、水平に突出している。切込線１３と折目線ｆとは折目線ｄの延長上に延設された切込線１４によって連結されている。
【００２１】
仕切板８の下端には、第１突片８ａが設けられている。また、底板１１には、差込孔１１ａが設けられている。差込孔１１ａは、包装箱用仕切体１を組み立てた際に第１突片８ａが挿入される位置に設けられている。
【００２２】
第２端板１０の下端には第２突片１０ａが設けられている。また、底板１１の先端部には、切欠部１１ｂが設けられてる。切欠部１１ｂは、包装箱用仕切体１を組み立てた際に第２突片１０ａと係合する位置に設けられている。
【００２３】
次に、本実施形態の包装箱用仕切体１の組立方法について説明する。まず、図１に示すように、第１端板９と第２端板１０とを相反する方向へ折目線ｄ、ｅを介してそれぞれ仕切板８に対して垂直に折り曲げる。次いで、底板１１を内方に水平に折目線ｆを介して折り曲げる。折目線ｆは切込線１２よりも底板１１の厚さ分下方へ水平に突出しているため、仕切板８の下端縁と底板１１の上面とは水平に接地することができる。このとき、第１突片８ａは、差込孔１１ａに挿入される。また、第２突片１０ａは切欠部１１ｂに係合される。
【００２４】
次いで、包装箱用仕切体１を、第１端板９と第２端板１０とが図３に示す包装箱２の第１側壁板５と平行に重ね合わさるように包装箱の中に挿入する。このとき、図１に示すように、包装箱用仕切体１は、底蓋内フラップ４ｂの間に生じた段差１２に底板１１が埋め込まれるように挿入される。
【００２５】
本実施形態の包装箱用仕切体１によれば、包装箱用仕切体１を組み立てて包装箱２の内へ挿入すると同時に埋板を挿入することができ、挿入作業を簡略化することができる。
【００２６】
また、底板１１と、第１突片８ａと、差込孔１１ａと、第２突片１０ａと、切欠部１１ｂとにより、包装箱用仕切体１は所定形状を維持しながら安定して起立することができる。このため、包装箱２の内に収容物を収容する際に仕切体の形を整えながら収容作業を行うといった煩わしさがない。
【図面の簡単な説明】
【図１】本発明の一実施形態の包装箱用仕切体の説明的全体図。
【図２】本実施形態の包装箱用仕切体の展開図。
【図３】本実施形態の包装箱用仕切体に用いられる包装箱の説明的全体図。
【図４】本実施形態の包装箱用仕切体に用いられる包装箱の展開図。
【符号の説明】
１…包装箱用仕切体、  ２…包装箱、３…胴部、  ４…底部、  ４ａ…底蓋外フラップ、４ｂ…底蓋内フラップ、  ５…第１側壁板、  ６…第２側壁板、７…接着片、  ８…仕切板、  ８ａ…第１突片、  ９…第１端板、  １０…第２端板、１０ａ…第２突片、  １１…底板、  １１ａ…差込孔、  １１ｂ…切欠部、  １２…段差、  １３〜１４…切込線、  ａ…胴部折目線、  ｂ〜ｃ…底部折目線、ｄ〜ｆ…折目線
【図１】
0004025568.tif 000002
【図２】
0004025568.tif 000003
【図３】
0004025568.tif 000004
【図４】
0004025568.tif 000005